(57)【要約】【課題】信号抽出部からの映像と外部装置からの映像とを切り替えて表示させる使用形態における電源投入時の不都合を解消し得るテレビを提供する。【解決手段】選択されたチャンネルの放送信号Ｓａを抽出するチューナ１２と、チューナ１２によって抽出されている放送信号Ｓａに基づく映像および入力端子２３ａ〜２３ｅを介して入力している外部装置１００ａ〜１００ｅからの外部信号Ｓｂに基づく映像を切り替えて表示部１６に表示させる制御部２１とを備え、制御部２１は、映像表示停止操作の直前に外部信号Ｓｂに基づく映像を表示部１６に表示させかつその映像表示停止操作後に映像表示開始操作が行われた時点において、外部信号Ｓｂが入力されていないときには、映像表示停止操作前において最後に選択されたチャンネルの放送信号Ｓａに基づく映像を表示部１６に表示させる。【選択図】図１
2007150404.tif 000002
【特許請求の範囲】
【請求項１】
選択されたチャンネルの信号を抽出する信号抽出部と、前記信号抽出部によって抽出されている抽出信号に基づく映像および入力端子を介して入力している外部装置からの外部信号に基づく映像を切り替えて表示部に表示させる制御部とを備えたテレビであって、
前記制御部は、映像表示停止操作の直前に前記外部信号に基づく映像を前記表示部に表示させかつ当該映像表示停止操作後に映像表示開始操作が行われた時点において、当該外部信号が入力されていないときには、前記映像表示停止操作前において最後に選択されたチャンネルの前記抽出信号に基づく映像を前記表示部に表示させるテレビ。
【請求項２】
前記制御部は、前記映像表示開始操作が行われた時点において、前記外部信号を入力しているときには、当該外部信号に基づく映像を前記表示部に表示させる請求項１記載のテレビ。
【発明の詳細な説明】
【技術分野】
【０００１】
本発明は、信号抽出部によって抽出されている抽出信号に基づく映像および外部装置からの外部信号に基づく映像を切り替えて表示するテレビに関するものである。
【背景技術】
【０００２】
一般的なテレビでは、電源切断時に選択されていたチャンネルが記憶され、次の電源投入時には、そのチャンネルが自動的に選択されてそのチャンネルの映像が表示される。一方、例えば、毎日決められた時刻にテレビの電源を投入して、その時刻には同じチャンネルの同じ番組を毎日視聴するような使用形態では、電源投入時に直前の電源切断時に選択されていたチャンネルの映像が表示されるだけでは不都合なことがある。このような不都合を解消可能な手段として、特開平１０−３３６５３５号公報に開示されたテレビジョン受像機が知られている。このテレビジョン受像機は、チューナ、マイコンおよびメモリ等を備えて、所望のチャンネル（お好みＣＨ）を予めメモリに設定（記憶）可能に構成されている。このテレビジョン受像機では、電源スイッチがオンされたときに、マイコンが、メモリにチャンネルが設定されているか否かを判別する。この場合、マイコンは、メモリにチャンネルが設定されているときにはそのチャンネルをチューナに受信させ、メモリにチャンネルが設定されていないときには電源オフ前に選局していたチャンネル（ラストＣＨ）をチューナに受信させる。このため、メモリに所望のチャンネルを予め設定することで、直前の電源切断時に選択されていたチャンネルの如何に拘わらず、電源投入時にその所望のチャンネルの映像を表示させることが可能となっている。
【特許文献１】特開平１０−３３６５３５号公報（第２−３頁、第１図）
【発明の開示】
【発明が解決しようとする課題】
【０００３】
ところが、上記のテレビジョン受像機には、以下の問題点がある。すなわち、上記のテレビジョン受像機では、マイコンがチューナによるチャンネルの受信を制御することにより、直前の電源切断時に選択されていたチャンネルまたは設定した所望のチャンネルの映像を次の電源投入時に表示させている。一方、この種のテレビジョン受像機では、一般的に、ＶＴＲ等の外部装置を入力端子に接続して、外部装置からの映像とチューナによって受信されているチャンネルの映像とを切り替えて表示させることが可能となっている。この場合、この種のテレビジョン受像機では、例えば、直前の電源切断時に外部装置からの映像を表示させていたときには、その状態が記憶されて、次の電源投入時においてもその外部装置からの映像が表示される。しかしながら、次の電源投入時において、外部装置の電源が切断されていたり、外部装置からの映像信号の出力が停止しているときには、何の映像も表示されないこととなる。したがって、従来のテレビジョン受像機には、このような状態となったときに、故障等の不具合が生じたかのような誤解を使用者に与えるおそれがある。
【０００４】
本発明は、かかる問題点に鑑みてなされたものであり、信号抽出部からの映像と外部装置からの映像とを切り替えて表示させる使用形態における電源投入時の不都合を解消し得るテレビを提供することを主目的とする。
【課題を解決するための手段】
【０００５】
上記目的を達成すべく本発明に係るテレビは、選択されたチャンネルの信号を抽出する信号抽出部と、前記信号抽出部によって抽出されている抽出信号に基づく映像および入力端子を介して入力している外部装置からの外部信号に基づく映像を切り替えて表示部に表示させる制御部とを備えたテレビであって、前記制御部は、映像表示停止操作の直前に前記外部信号に基づく映像を前記表示部に表示させかつ当該映像表示停止操作後に映像表示開始操作が行われた時点において、当該外部信号が入力されていないときには、前記映像表示停止操作前において最後に選択されたチャンネルの前記抽出信号に基づく映像を前記表示部に表示させる。
【０００６】
このテレビでは、映像表示停止操作の直前に外部信号に基づく映像を表示させかつその映像表示停止操作後に映像表示開始操作が行われた時点において外部信号が入力されていないときには、制御部が、映像表示停止操作前において最後に選択されたチャンネルの抽出信号に基づく映像を表示部に表示させる。このため、次の映像表示開始操作時において外部装置の電源が切断されていたり、外部装置からの外部信号の出力が停止していたとしても、表示部が非表示となる事態を確実に防止することができる。したがって、外部装置から外部信号に基づく映像と信号抽出部からの抽出信号に基づく映像とを切り替えて表示させる使用形態において、映像表示開始操作時に故障等の不具合が生じたかのような誤解を使用者に与えるといった不都合を確実に解消することができる。
【０００７】
また、本発明に係るテレビは、上記のテレビにおいて、前記制御部は、前記映像表示開始操作が行われた時点において、前記外部信号を入力しているときには、当該外部信号に基づく映像を前記表示部に表示させる。
【０００８】
このテレビでは、映像表示開始操作が行われた時点において外部信号が入力されているときには、制御部が、外部信号に基づく映像を表示部に表示させる。したがって、このテレビによれば、例えば、外部装置としての外部チューナからの外部信号に基づく映像を表示させる際に、その外部チューナの電源を投入したまま（外部チューナから外部信号を出力させたまま）の状態において、映像表示停止操作および映像表示開始操作を順に行ったときに、映像表示開始操作後に他の操作を行うことなく、外部チューナからの外部信号に基づく映像を直ちに表示させることができる。
【発明を実施するための最良の形態】
【０００９】
以下、本発明に係るテレビの最良の形態について、添付図面を参照して説明する。図１に示すプロジェクションテレビ（以下、単に「テレビ」ともいう）１は、本発明に係るテレビの一例であって、同図に示すように、本体部２およびリモコン３を備えて構成されている。本体部２は、選局処理部１１、チューナ１２、接続切替部１３、映像音声処理部１４、映像出力部１５、表示部１６、音声出力部１７、スピーカ１８、受光部１９ａ、キー入力処理部１９、電源部２０、制御部２１および選局情報保存部２２を備えている。
【００１０】
選局処理部１１は、制御部２１の制御に従い、チューナ１２に対して所定のチャンネルを選局させてそのチャンネルの放送信号Ｓａを抽出させる。チューナ１２は、本発明における信号抽出部に相当し、一例として、ＢＳデジタル放送、１１０度ＣＳデジタル放送、地上デジタル放送および地上アナログ放送（以下、これらを総称して「テレビ放送」ともいう）を受信可能に構成されて、選局処理部１１の制御に従い、所定のチャンネルを選局してそのチャンネルの放送信号Ｓａ（本発明における抽出信号）を図外のアンテナで受信した放送波から抽出して出力する。
【００１１】
接続切替部１３は、制御部２１の制御に従い、図１に示す入力端子２３ａ〜２３ｅ（以下、区別しないときには「入力端子２３」ともいう）およびチューナ１２と映像音声処理部１４との接続を切り替えることにより、入力端子２３ａ〜２３ｅを介して入力する外部装置１００ａ〜１００ｅ（以下、区別しないときには「外部装置１００」ともいう）からの外部信号Ｓｂ、およびチューナ１２によって抽出される放送信号Ｓａのうちのいずれか１つを映像音声処理部１４に出力する。映像音声処理部１４は、制御部２１の制御に従い、接続切替部１３から出力される放送信号Ｓａ（または外部信号Ｓｂ）に基づく映像信号Ｄｐおよび音声信号Ｄｖを映像出力部１５および音声出力部１７にそれぞれ出力する。また、映像音声処理部１４は、制御部２１の制御に従い、接続切替部１３を介して各入力端子２３のうちのいずれか１つと接続している状態において、その入力端子２３から外部信号Ｓｂが入力されているか否かを示す検出信号Ｓｃを制御部２１に出力する。
【００１２】
映像出力部１５は、制御部２１の制御に従い、映像音声処理部１４から出力される映像信号Ｄｐを映像Ｐ１，Ｐ２（図２，３参照：以下、区別しないときには「映像Ｐ」ともいう）の表示用の映像信号Ｓｐに変換して表示部１６に出力する。表示部１６は、一例として、光学エンジンおよびスクリーンパネル（いずれも図示せず）を備え、映像出力部１５から出力された映像信号Ｓｐに対応する映像を表示する。具体的には、この表示部１６は、出力された映像信号Ｓｐに基づいて光源ランプからの投射光を光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００１３】
音声出力部１７は、制御部２１の制御に従い、映像音声処理部１４から出力される音声信号Ｄｖを増幅して音声信号Ｓｖとしてスピーカ１８に出力する。スピーカ１８は、音声出力部１７から出力される音声信号Ｓｖに基づく音声を出力する。なお、本明細書における「音声」には、人の声のみならず、鳥の鳴き声、風の音および音楽等の各種の「音」が含まれる。受光部１９ａは、リモコン３から出力される赤外線信号Ｓｉを受光して復調信号Ｓｄを出力する。キー入力処理部１９は、受光部１９ａから出力された復調信号Ｓｄに対応する（つまりリモコン３の操作キーに対応する）操作信号Ｓｏを制御部２１に出力する。電源部２０は、制御部２１の制御に従ってテレビ１の各構成要素に電源を供給する。
【００１４】
制御部２１は、キー入力処理部１９から出力された操作信号Ｓｏに従い、選局処理部１１、接続切替部１３、映像音声処理部１４、映像出力部１５、音声出力部１７および電源部２０を制御する。また、制御部２１は、表示部１６に映像Ｐが表示されている状態（表示部１６に電源が供給されている状態）においてリモコン３の電源キー３１（図２参照）が操作されて（本発明における映像表示停止操作：以下、「電源切断操作」ともいう）、電源キー３１に対応する操作信号Ｓｏがキー入力処理部１９から出力されたときには、図４に示す表示停止処理４０を実行する。また、制御部２１は、表示部１６に映像Ｐが表示されていない状態（表示部１６に電源が供給されていない状態）においてリモコン３の電源キー３１が操作されて（本発明における映像表示開始操作：以下、「電源投入操作」ともいう）、電源キー３１に対応する操作信号Ｓｏがキー入力処理部１９から出力されたときには、図５に示す表示開始処理５０を実行する。選局情報保存部２２は、制御部２１の制御に従い、制御部２１によって生成される特定情報Ｄｍを保存する。
【００１５】
リモコン３は、図２に示すように、本体部２とは別体に形成されている。また、リモコン３は、電源キー３１、１２個のチャンネル指定キー３２ａ〜３２ｌおよび信号切替キー３３などの各種操作キーが配列されて構成され、これらの操作キーが操作されたときに、各操作キーに対応する赤外線信号Ｓｉを出力（送信）する。
【００１６】
次に、テレビ１の全体的な動作について、図面を参照して説明する。この場合、図１に示すように、入力端子２３ａには、外部装置１００ａの一例としてのＶＴＲが接続されているものとする。また、発明の理解を容易とするために、図２に示すように、表示部１６にはＢＳ１０２チャンネルの映像Ｐ１が表示されているものとし、この状態からのテレビ１の動作を説明する。このテレビ１では、チューナ１２によって受信されているテレビ放送の番組（この場合、ＢＳ１０２チャンネルの番組）に代えて、例えば、ＶＴＲからの映像Ｐおよび音声を視聴するときには、同図に示すリモコン３の信号切替キー３３を操作する。この際に、リモコン３は、信号切替キー３３に対応する赤外線信号Ｓｉを出力し、受光部１９ａは、赤外線信号Ｓｉを受光して復調信号Ｓｄを出力する。また、キー入力処理部１９は、その復調信号Ｓｄに対応する（信号切替キー３３に対応する）操作信号Ｓｏを制御部２１に出力する。
【００１７】
次いで、制御部２１は、操作信号Ｓｏに従って接続切替部１３を制御することにより、チューナ１２からの放送信号Ｓａに代えて、入力端子２３ａを介して入力しているＶＴＲからの外部信号Ｓｂを映像音声処理部１４に出力させる。また、制御部２１は、信号切替キー３３に対応する操作信号Ｓｏの出力直前に選択されていたチャンネル（この場合、ＢＳ１０２チャンネル：以下このチャンネルを「最終選択チャンネル」ともいう）を選局情報保存部２２に保存させる。続いて、映像音声処理部１４は、接続切替部１３から出力された外部信号Ｓｂに基づく映像信号Ｄｐおよび音声信号Ｄｖを映像出力部１５および音声出力部１７にそれぞれ出力する。次いで、映像出力部１５は、映像信号Ｄｐを映像Ｐの表示用の映像信号Ｓｐに変換して表示部１６に出力する。続いて、表示部１６の光学エンジンは、映像信号Ｓｐに基づいて変調した投射光をスクリーンパネルに投射する。これにより、図３に示すように、表示部１６にＶＴＲの映像Ｐ２が表示される。また、音声出力部１７は、映像音声処理部１４から出力された音声信号Ｄｖを増幅して音声信号Ｓｖをスピーカ１８に出力し、スピーカ１８は、音声信号Ｓｖに基づくＶＴＲの音声を出力する。
【００１８】
次に、ＶＴＲからの映像Ｐ２および音声の視聴を終了して電源を切断（映像Ｐ２の表示を停止）する際には、リモコン３の電源キー３１を操作する。この際に、リモコン３は電源キー３１に対応する赤外線信号Ｓｉを出力し、キー入力処理部１９は操作信号Ｓｏを制御部２１に出力する。これに応じて、制御部２１は、図４に示す表示停止処理４０を実行する。この表示停止処理４０では、制御部２１は、電源キー３１に対応する操作信号Ｓｏの出力直前に表示部１６に表示されていた映像Ｐ（以下、この信号を「最終表示映像」ともいう）が放送信号Ｓａおよび外部信号Ｓｂのいずれに基づく映像Ｐであるか、つまりこの操作信号Ｓｏの出力直前に接続切替部１３から出力されていた信号（以下、この信号を「最終出力信号」ともいう）が放送信号Ｓａおよび外部信号Ｓｂのいずれであるか（最終出力信号の種類）を判別する。この場合、制御部２１は、上記の例のように最終出力信号が外部信号Ｓｂであるときには、その外部信号Ｓｂを入力している入力端子２３（この例では、入力端子２３ａ）を特定する。また、制御部２１は、最終出力信号の種類、入力端子２３（入力端子２３の番号）および最終選択チャンネルを示す特定情報Ｄｍを生成して選局情報保存部２２に保存させる（ステップ４１）。次いで、制御部２１は、電源部２０を制御して、表示部１６の光学エンジンや映像音声処理部１４に対する電源の供給を停止させて（ステップ４２）、表示停止処理４０を終了する。これにより、映像Ｐ２の表示が停止して、表示部１６が非表示の状態となる。
【００１９】
次に、電源を投入して表示部１６による映像Ｐの表示を開始する際には、リモコン３の電源キー３１を操作する。この際に、リモコン３は電源キー３１に対応する赤外線信号Ｓｉを出力し、キー入力処理部１９は操作信号Ｓｏを制御部２１に出力する。これに応じて、制御部２１は、電源部２０を制御して表示部１６の光学エンジンや映像音声処理部１４に対する電源の供給を開始する。また、制御部２１は、図５に示す表示開始処理５０を実行する。この表示開始処理５０では、制御部２１は、選局情報保存部２２から特定情報Ｄｍを読み出して、最終出力信号が外部信号Ｓｂであるか否かを判別する（ステップ５１）。この場合、上記したように最終出力信号が外部信号Ｓｂであるため、制御部２１は、特定情報Ｄｍに基づいてその外部信号Ｓｂを入力していた入力端子２３（この例では、入力端子２３ａ）を特定すると共に、接続切替部１３を制御して、特定した入力端子２３に映像音声処理部１４を接続させる（ステップ５２）。一方、ステップ５１において最終出力信号が外部信号Ｓｂでないと判別したときには、制御部２１は、ステップ５２，５３を実行することなく、後述するステップ５４を直ちに実行する。
【００２０】
次いで、制御部２１は、映像音声処理部１４を制御して検出信号Ｓｃを出力させて、その検出信号Ｓｃに基づいて入力端子２３から外部信号Ｓｂが入力されているかを判別する（ステップ５３）。この場合、制御部２１は、入力端子２３から外部信号Ｓｂが入力されていないときには、接続切替部１３を制御して、入力端子２３に代えて、チューナ１２を接続切替部１３に接続させる（ステップ５４）。続いて、制御部２１は、特定情報Ｄｍに基づいて最終選択チャンネル（この例では、ＢＳ１０２チャンネル）を特定すると共に、選局処理部１１を制御することによってそのチャンネルの放送信号Ｓａをチューナ１２に抽出させて（ステップ５５）、表示開始処理５０を終了する。これにより、最終選択チャンネルの放送信号Ｓａが映像音声処理部１４に出力される。次いで、制御部２１は、映像音声処理部１４を制御して、放送信号Ｓａに基づく映像信号Ｄｐおよび音声信号Ｄｖを映像出力部１５および音声出力部１７にそれぞれ出力させる。次いで、映像出力部１５、表示部１６、音声出力部１７およびスピーカ１８が上記の動作と同様にして動作することにより、図２に示すように、ＢＳ１０２チャンネルの映像Ｐ１が表示されると共にＢＳ１０２チャンネルの音声が出力される。
【００２１】
一方、表示開始処理５０のステップ５３において、入力端子２３から外部信号Ｓｂが入力されていると判別したときには、制御部２１は、ステップ５４，５５を実行することなく表示開始処理５０を終了する。この際には、映像音声処理部１４は制御部２１の制御に従って外部信号Ｓｂに基づく映像信号Ｄｐおよび音声信号Ｄｖを映像出力部１５および音声出力部１７にそれぞれ出力し、映像出力部１５、表示部１６、音声出力部１７およびスピーカ１８が上記の動作と同様にして動作することにより、図３に示すように、ＶＴＲの映像Ｐ２が表示されると共にＶＴＲの音声が出力される。
【００２２】
このように、このテレビ１によれば、電源切断操作の直前に外部信号Ｓｂに基づく映像が表示され、かつその電源切断操作後に電源投入操作が行われた時点において入力端子２３に外部信号Ｓｂを入力していないときには、制御部２１が、最終選択チャンネルの放送信号Ｓａに基づく映像Ｐを表示させることにより、次の電源投入操作時において外部装置１００の電源が切断されていたり、外部装置１００からの外部信号Ｓｂの出力が停止していたとしても、表示部１６が非表示となる事態を確実に防止することができる。したがって、外部装置１００からの映像Ｐとチューナ１２からの映像Ｐとを切り替えて表示させる使用形態において、電源投入操作時に故障等の不具合が生じたかのような誤解を使用者に与えるといった不都合を確実に解消することができる。
【００２３】
また、このテレビ１では、電源投入操作が行われた時点において外部信号Ｓｂが入力されているときには、制御部２１は、外部信号Ｓｂに基づく映像Ｐを表示部１６に表示させる。したがって、このテレビ１によれば、例えば、外部装置１００としての外部チューナからの映像Ｐを表示させる際に、その外部チューナの電源を投入したまま（外部チューナから外部信号Ｓｂを出力させたまま）の状態において、テレビ１の電源切断操作および電源投入操作を順に行ったときに、電源投入操作後に信号切替キー３３等の他の操作キーを操作することなく、外部チューナからの映像Ｐを直ちに表示させることができる。
【００２４】
なお、本発明は、上記の構成に限定されない。例えば、光学エンジンおよびスクリーンパネルを有する表示部１６を備えたプロジェクションテレビ１に適用した例について上記したが、ＣＲＴ、液晶表示パネルおよびプラズマディスプレイ等で構成された表示部を備えたテレビに適用することもできる。また、電源投入操作時において、電源切断操作直前に外部信号Ｓｂを入力していた入力端子２３（上記の例では、入力端子２３ａ）から外部信号Ｓｂを入力していないときに、最終選択チャンネルの映像Ｐを表示させる例について上記したが、これに限らない。例えば、電源投入操作時において電源切断操作直前とは異なる入力端子２３に外部信号Ｓｂが入力されているときには、最終選択チャンネルの映像Ｐを表示させずに、その外部信号Ｓｂに基づく映像Ｐを表示させる構成を採用することもできる。具体的には、電源切断操作直前には入力端子２３ａに接続されているＶＴＲから外部信号Ｓｂを入力し、電源投入操作時には、入力端子２３ｃに接続されている例えば外部チューナから外部信号Ｓｂを入力しているときには、映像音声処理部１４と入力端子２３ａとの接続を映像音声処理部１４とチューナ１２との接続に切り替えることなく、映像音声処理部１４と入力端子２３ｃとの接続に切り替えて、外部チューナからの外部信号Ｓｂに基づく映像Ｐを表示させる。この構成においても、次の電源投入操作時にＶＴＲからの外部信号Ｓｂの出力が停止していたとしても、表示部１６が非表示となる事態を確実に防止することができるため、電源投入操作時における不都合を確実に解消することができる。
【図面の簡単な説明】
【００２５】
【図１】プロジェクションテレビ１の構成を示すブロック図である。
【図２】プロジェクションテレビ１の正面図である。
【図３】映像Ｐ２の表示画面図である。
【図４】表示停止処理４０のフローチャートである。
【図５】表示開始処理５０のフローチャートである。
【符号の説明】
【００２６】
１  プロジェクションテレビ、１２  チューナ、１３  接続切替部、１６  表示部、２１  制御部、２３ａ〜２３ｅ  入力端子、３１  電源キー、１００ａ〜１００ｅ  外部装置、Ｐ１，Ｐ２ 映像、Ｓａ  放送信号、Ｓｂ  外部信号
【図１】
2007150404.tif 000003
【図２】
2007150404.tif 000004
【図３】
2007150404.tif 000005
【図４】
2007150404.tif 000006
【図５】
2007150404.tif 000007